(57)【要約】【課題】本発明は計量機のパネルの取り外し作業及び内部機器のメンテナンスを容易に行えることを課題とする。【解決手段】計量機１０のノズル掛け２６は、給液ノズル３８の荷重を支えるノズル支持部２８と、給液ノズル３８の吐出パイプ３８ｂを収納する吐出パイプ収納部３０とから構成されている。パネル１４は、装置本体１２のフレーム２０からＸ方向へ離間させることにより、パネル１４に取り付けられた吐出パイプ収納部３０がフレーム２０に固定されたノズル支持部２８から分離する。これにより、ノズル支持部２８よりもコンパクトなノズル支持部２８のみがブラケット２０ａに固定されているので、ブラケット２０ａの裏側に設けられた機器の点検作業が容易に行える。また、給液ノズル３８は、パネル１４を装置本体１２から離間させた後、ノズル支持部２８に載置される。【選択図】　　　　図４
2004123120.tif 000002
【特許請求の範囲】
【請求項１】
給液ノズルが掛止されるノズル掛けをフレームまたは該フレームに固定されるパネルに取り付けるよう構成された計量機のパネル取付構造において、
前記ノズル掛けを、前記給液ノズルの荷重を支えるノズル支持部と、前記給液ノズルの吐出パイプを収納する吐出パイプ収納部とから構成し、
前記ノズル支持部を前記フレームに取り付け、前記吐出パイプ収納部を前記パネルに取り付けてなり、
前記パネルを前記フレームに固定することにより前記吐出パイプ収納部が前記ノズル支持部と結合されることを特徴とする計量機のパネル取付構造。
【発明の詳細な説明】
【０００１】
【発明の属する技術分野】
本発明は計量機のパネル取付構造に係り、特にノズル掛けがフレームに固定されるパネルより露出するよう構成された計量機のパネル取付構造に関する。
【０００２】
【従来の技術】
例えば、ガソリン等の燃料を車両の燃料タンクに給液する給液所などに設置される計量機は、給液ノズルが掛止されるノズル掛けを有しており、そのノズル掛けを前面及び後面のパネルから露出させるように構成されている（例えば、特許文献１参照）。
【０００３】
この種の計量機においては、ノズル掛けをフレームに取り付けるものと、ノズル掛けをパネルに取り付けものとがある。前者となるノズル掛けをフレームに取り付ける構成では、パネルにノズル掛けを挿通させるための開口が設けられており、パネルをフレームに固定する際に開口をノズル掛けの取付位置に合わせる必要がある。また、後者となるノズル掛けをパネルに取り付ける構成では、ノズル掛けをパネルに取り付けた状態でパネルをフレームに固定することになる。
【０００４】
【特許文献１】
特開２０００−３３５６９３号公報（図１）。
【０００５】
【発明が解決しようとする課題】
上記従来の計量機のパネル取付構造では、前述した前者の場合、フレーム内部に設けられた流量計、給液ポンプ、ノズルスイッチなどのメンテナンスを行う際にパネルを外した後も、ノズル掛けがフレームに固定されているので、ノズル掛けの裏側に配置された機器のメンテナンスがやりにくいという問題があった。
【０００６】
また、前述した後者の場合は、ノズル掛けをパネルに取り付けるため、パネル自体にノズル掛け及び給液ノズルの荷重に耐えられるように強度を高める必要がある。この場合、パネルの重量が増大してパネルの取り扱いが困難になる。
【０００７】
また、パネルをフレームから分離させる際は、その前に給液ノズルをノズル掛けから外してからパネルを固定しているボルトを緩めることになるが、給液ノズルを置く場所がないので、足元に給液ノズルを放置したまま作業を行うことになり、作業しにくいという問題もある。
【０００８】
そこで、本発明は上記課題を解決した計量機のパネル取付構造を提供することを目的とする。
【０００９】
【課題を解決するための手段】
本発明は上記課題を解決するため、以下のような特徴を有する。
本発明は、給液ノズルが掛止されるノズル掛けをフレームまたはフレームに固定されるパネルに取り付けるよう構成された計量機のパネル取付構造において、ノズル掛けを、給液ノズルの荷重を支えるノズル支持部と、給液ノズルの吐出パイプを収納する吐出パイプ収納部とから構成し、ノズル支持部をフレームに取り付け、吐出パイプ収納部をパネルに取り付けてなり、パネルをフレームに固定することにより吐出パイプ収納部がノズル支持部と結合されるものであり、パネルをフレームから外す際の作業が容易に行えると共に、フレームの内側に配置された各機器のメンテナンスも吐出パイプ収納部に邪魔されずに行える。
【００１０】
【発明の実施の形態】
以下、図面と共に本発明の一実施例について説明する。
図１は本発明になる計量機のパネル取付構造の一実施例を示す正面図である。図２は前面パネルを外した状態を示す計量機の正面図である。
【００１１】
図１及び図２に示されるように、計量機１０は、装置本体１２の前後面にパネル１４が取り付けられている。装置本体１２は、両側に起立する支柱１６，１８と、支柱１６，１８の下部間に横架されたフレーム２０と、支柱１６，１８の上部間に横架されたホース支持部２２とを有する。
【００１２】
また、計量機１０は、装置本体１１の前後面に、給液量を表示する表示器２４と、給液ノズル（図示せず）を掛止する複数（本実施例では、３個）のノズル掛け２６とが設けられている。
【００１３】
ノズル掛け２６は、後述するように、給液ノズルの荷重を支えるノズル支持部２８と、給液ノズルの吐出パイプを収納する吐出パイプ収納部３０とから構成されている。ノズル支持部２８は、フレーム２０のブラケット２０ａに取り付けられ、吐出パイプ収納部３０はパネル１４に取り付けられている。
【００１４】
例えば、ノズル支持部２８は、アルミダイキャスト製であり、吐出パイプ収納部３０は樹脂材により成形されている。そして、ノズル支持部２８と吐出パイプ収納部３０とは、組み立て前の状態は分離されており、パネル１４がフレーム２０に取り付けられる過程で結合される。
【００１５】
フレーム２０の内側には、各給液系統の電磁弁３２と、給液ポンプ３４と、ポンプモータ３６と、流量計（ブラケット２０ａに隠れて見えない）などが設けられている。
【００１６】
図３は計量機１０の側面図である。
図３に示されるように、装置本体１１の前後面に取り付けられたパネル１４には、ノズル掛け２６の吐出パイプ収納部３０の保持部３０ａが突出しており、保持部３０ａの内側にはノズル支持部２８の一部が突出している。そして、給液ノズル３８は、ノズル支持部２８のグリップ支持部２８ａにグリップ部３８ａが載置され、吐出パイプ収納部３０の挿入部３０ｂに吐出パイプ３８ｂ（図３中、破線で示す）が挿入された状態で収納される。また、給液ノズル３８には、ホース支持部２２から吊り下げられた給液ホース４０の端部が接続されている。
【００１７】
図４はパネル１４を装置本体１２から外す際の動作を説明するための側断面図である。
図４に示されるように、パネル１４は、装置本体１２のフレーム２０にボルト（図示せず）により締結されており、ボルトを緩めることにより、フレーム２０から外すことができる。そして、パネル１４を装置本体１２のフレーム２０からＸ方向へ離間させることにより、パネル１４に取り付けられた吐出パイプ収納部３０がフレーム２０に固定されたノズル支持部２８から分離する。
【００１８】
その際、給液ノズル３８は、ノズル掛け２６から外されているが、パネル１４を装置本体１２から離間させた後、ノズル支持部２８に載置される。これにより、装置本体１２の内部に配置された各機器のメンテナンスを行う際に給液ノズル３８を足元に放置することがなくなり、メンテナンス作業がやりやすくなる。
【００１９】
ここで、図５（Ａ）〜（Ｃ）を参照してノズル掛け２６の構成について説明する。尚、図５（Ａ）はノズル掛け２６の正面図、図５（Ｂ）はノズル掛け２６の平面図、図５（Ｃ）はノズル掛け２６の側面図である。
【００２０】
図５（Ａ）〜（Ｃ）に示されるように、ノズル掛け２６は、上記ノズル支持部２８と吐出パイプ収納部３０とを組み合わせたものである。ノズル支持部２８は、給液ノズル３８のグリップ部３８ａが載置されるグリップ支持部２８ａと、を有する。グリップ支持部２８ａの内部には、給液ノズル３８のグリップ部３８ａに当接して押圧されるようにノズルスイッチレバー４２が回動可能に設けられている。
【００２１】
図６に示されるように、ノズル支持部２８は、グリップ支持部２８ａの背面側にノズルスイッチ４４が取り付けられている。
【００２２】
上記ノズルスイッチレバー４２は、給液ノズル３８のグリップ部３８ａに押圧されてノズルスイッチ４４をオフに切り替える。また、ノズルスイッチ４４は、給液ノズル３８がノズル掛け２６から外されると、グリップ部３８ａによる押圧が解除されるため、オンに切り替わる。そして、計量機１０の制御部（図示せず）では、ノズルスイッチ４４からの検出信号がオンになると、ポンプモータ３６を起動させて給液ポンプ３４を駆動する。
【００２３】
吐出パイプ収納部３０は、パネル１４の前面に突出する保持部３０ａと、給液ノズル３８の吐出パイプ３８ｂが挿入される挿入部３０ｂとを有する。また、保持部３０ａには、上記グリップ支持部２８ａが嵌合する開口３０ｃが設けられている。
【００２４】
図７（Ａ）（Ｂ）に示されるように、上記開口３０ｃは、正面からみると、ノズル支持部２８の輪郭形状に対応した形状に形成されているため、ノズル支持部２８に対して隙間無く嵌合するように設けられている。
【００２５】
パネル１４には、各吐出パイプ収納部３０が各ノズル支持部２８の取付位置と合致するように取り付けられている。すなわち、各吐出パイプ収納部３０は、上記開口３０ｃがフレーム２０に取り付けられた各ノズル支持部２８と嵌合する位置に設けられている。
【００２６】
図８は装置本体１２からパネル１４を外す動作過程を示す側面図である。
図８に示されるように、例えば、計量機１０の内部に設けられた各機器のメンテナンスを行う場合、装置本体１２に取り付けられたパネル１４を取り外す必要がある。このような場合、パネル１４の上部を締結しているボルト（図示せず）を緩めることにより、パネル１４は下部を支点として上部を装置本体１２のフレーム２０から離間させる。
【００２７】
これにより、パネル１４に取り付けられた吐出パイプ収納部３０は、ノズル支持部２８から分離する。そして、パネル１４が装置本体１２から外されると、フレーム２０のブラケット２０ａに固定された吐出パイプ収納部３０が露出された状態となる（図２を参照）。
【００２８】
これにより、作業員は、装置本体１２の内部に設けられた電磁弁３２と、給液ポンプ３４と、ポンプモータ３６と、流量計（ブラケット２０ａに隠れて見えない）及びノズルスイッチ４４の点検を容易に行える。
【００２９】
特に、本実施例では、流量計（図示せず）がブラケット２０ａの裏側に設けられているので、点検しにくいが、吐出パイプ収納部３０がノズル支持部２８から分離することによりノズル支持部２８よりもコンパクトなノズル支持部２８のみがブラケット２０ａに固定されているので、ブラケット２０ａの裏側に設けられた機器の点検作業が容易に行える。
【００３０】
さらに、ノズルスイッチ４４がノズル支持部２８の裏側に取り付けられているが、吐出パイプ収納部３０がノズル支持部２８から分離することにより直接ノズルスイッチ４４を目視できるので、ノズルスイッチ４４のメンテナンスも容易に行える。
【００３１】
ここで、図９乃至図１１を参照してノズルスイッチレバー４２の構成について説明する。
図９は給液ノズル３８がノズル掛け２６に掛止された状態を示す側断面図である。図１０はノズル支持部２８に設けられたノズルスイッチレバー４２を示す側断面図である。図１１はノズル支持部２８に雪が堆積した状態を示す側断面図である。
【００３２】
図９に示されるように、ノズルスイッチレバー４２は、ノズル支持部２８のグリップ支持部２８ａの内壁に沿うように延在する当接レバー４６と、回動軸４８を介して当接レバー４６に結合されたスイッチ押圧レバー５０とから構成されている。また、当接レバー４６は、回動軸４８を中心にＡ，Ｂ方向に回動可能に設けられている。そして、回動軸４８には、当接レバー４６をＢ方向に付勢するトーションバネ（図示せず）が取り付けられている。
【００３３】
スイッチ押圧レバー５０は、グリップ支持部２８ａを貫通して裏側に延在しており、その先端部分がノズルスイッチ４４の切片４４ａの上方に対向している。そのため、スイッチ押圧レバー５０は、反時計方向に回動することにより切片４４ａを押圧してノズルスイッチ４４をオンに切り替える。
【００３４】
図１０に示されるように、当接レバー４６は、断面形状がコ字状に形成されており、給液ノズル３８のグリップ部３８ａが当接する当接面４６ａと、当接面４６ａの両側から背面側に曲げられた折曲部４６ｂとを有する。この折曲部４６ｂには、グリップ支持部２８ａの斜面２８ｃに対向するように突出する台形状の突出部４６ｃを有する。また、当接レバー４６の先端部４６ｄは、グリップ支持部２８ａの底部２８ｄに当接しないように全長が短く形成されている。
【００３５】
すなわち、当接レバー４６は、給液ノズル３８のグリップ部３８ａに押圧されたＡ方向に回動すると、突出部４６ｃがグリップ支持部２８ａの斜面２８ｃに当接する。これにより、当接レバー４６の先端部４６ｄは、グリップ支持部２８ａの斜面２８ｃから寸法Ｌａ離間し、グリップ支持部２８ａの底部２８ｄから寸法Ｌｂ離間する。
【００３６】
図１１に示されるように、当接レバー４６は、Ａ方向に回動しても先端部４６ｄがグリップ支持部２８ａの斜面２８ｃ及び底部２８ｄから離間しているので、例えば、降雪時に雪５２がグリップ支持部２８ａに堆積しても先端部４６ｄが雪５２によって凍結せず、回動規制されることが防止される。また、従来は、板状に形成された当接レバーの背面が斜面２８ｃに面接触する構成であるのに対し、本実施例の当接レバー４６は突出部４６ｃがグリップ支持部２８ａの斜面２８ｃに線接触するため、降雪時でも斜面２８ｃに凍結せずに済む。
【００３７】
従って、寒冷地などに設置された計量機１０の場合、グリップ支持部２８ａに堆積した雪５２によって当接レバー４６が回動不能になることが防止される。特に給油間隔が長時間空いた場合に雪５２がグリップ支持部２８ａに堆積するおそれがあるが、当接レバー４６の先端部４６ｄがグリップ支持部２８ａの斜面２８ｃ及び底部２８ｄから離間しているので、雪５２による凍結を回避できる。
【００３８】
尚、上記実施例では、ガソリン等の燃料を車両の燃料タンクに給液するように構成された計量機を一例として挙げたが、これに限らず、例えば、油液以外の燃料（例えば、燃料電池車で消費される水素、あるいはＬＰＧ車やＣＮＧ車などで燃料として消費されるガス等）を供給する計量機にも適用できるのは勿論である。
【００３９】
また、上記実施例では、パネル１４を装置本体１２のフレーム２０にボルトにより締結する構成を一例として挙げたが、これに限らず、例えば、パネル１４の下部にフレーム２０に掛止される掛止部を設け、パネル１４の上部にキーを差し込んで掛止レバーを回動させるキー式掛止機構を設けるようにしても良い。
【００４０】
【発明の効果】
上述の如く、本発明によれば、給液ノズルが掛止されるノズル掛けをフレームまたはフレームに固定されるパネルに取り付けるよう構成された計量機のパネル取付構造において、ノズル掛けを、給液ノズルの荷重を支えるノズル支持部と、給液ノズルの吐出パイプを収納する吐出パイプ収納部とから構成し、ノズル支持部をフレームに取り付け、吐出パイプ収納部をパネルに取り付けてなり、パネルをフレームに固定することにより吐出パイプ収納部がノズル支持部と結合されるため、パネルをフレームから外す際の作業が容易に行えると共に、フレームの内側に配置された各機器のメンテナンスも吐出パイプ収納部に邪魔されずに行える。さらに、計量機の内部に配置された各機器のメンテナンスを行う場合も給液ノズルをノズル支持部に掛止させることができ、給液ノズルを足元に放置することがなくなり、メンテナンス作業がやりやすくなる。
【図面の簡単な説明】
【図１】本発明になる計量機のパネル取付構造の一実施例を示す正面図である。
【図２】前面パネルを外した状態を示す計量機の正面図である。
【図３】計量機１０の側面図である。
【図４】パネル１４を装置本体１２から外す際の動作を説明するための側断面図である。
【図５】図５はノズル掛け２６の構成を拡大して示す図であり、（Ａ）はノズル掛け２６の正面図、（Ｂ）はノズル掛け２６の平面図、（Ｃ）はノズル掛け２６の側面図である。
【図６】ノズル支持部２８の取付状態を示す側断面図である。
【図７】パネル１４の構成を示す図であり、（Ａ）は正面図、（Ｂ）は側面図である。
【図８】装置本体１２からパネル１４を外す動作過程を示す側面図である。
【図９】給液ノズル３８がノズル掛け２６に掛止された状態を示す側断面図である。
【図１０】ノズル支持部２８に設けられたノズルスイッチレバー４２を示す側断面図である。
【図１１】ノズル支持部２８に雪が堆積した状態を示す側断面図である。
【符号の説明】
１０　計量機
１２　装置本体
１６，１８　支柱
２０　フレーム
２０ａ　ブラケット
２２　ホース支持部
２６　ノズル掛け
２８　ノズル支持部
２８ａ　グリップ支持部
２８ｃ　斜面
２８ｄ　底部
３０　吐出パイプ収納部
３０ａ　保持部
３０ｂ　挿入部
３０ｃ　開口
３２　電磁弁
３４　給液ポンプ
３６　ポンプモータ
３８　給液ノズル
３８ａ　グリップ部
３８ｂ　吐出パイプ
４０　給液ホース
４２　ノズルスイッチレバー
４４　ノズルスイッチ
４６　当接レバー
４６ａ　当接面
４６ｂ　折曲部
４６ｃ　突出部
４６ｄ　先端部
５０　スイッチ押圧レバー
【図１】
2004123120.tif 000003
【図２】
2004123120.tif 000004
【図３】
2004123120.tif 000005
【図４】
2004123120.tif 000006
【図５】
2004123120.tif 000007
【図６】
2004123120.tif 000008
【図７】
2004123120.tif 000009
【図８】
2004123120.tif 000010
【図９】
2004123120.tif 000011
【図１０】
2004123120.tif 000012
【図１１】
2004123120.tif 000013